(57)【特許請求の範囲】
【請求項１】
液体を収容する少なくとも一部が押圧変形可能な容器本体と、液体を噴出するノズルと、前記容器本体の先端部に突出して配置された突部とを有するハンディタイプの人体洗浄用器具に用いる吸液パッドであって、前記突部に着脱可能に固定される吸液パッドにおいて、
該吸液パッドは、液体を吸収保持する吸液部材と、吸液パッドを液体収容容器の先端部に固定する固定部材とからなり、該固定部材は前記突部に嵌入して固定するための開口を有し、
かつ、吸液部材表面の形状が、楕円形、ひし形、又は変形三角形であり、
吸液部材の表面側に、前記形状の長手方向に対して角度を有し、且つ、使用時に倒れて前記固定部材の開口を覆う長さを有し、さらに、突き出る個々のひだの厚さを、隣り合うひだとひだの間隔と同じとし、ひだの高さの半分以下とするひだを設けたことを特徴とする吸液パッド。
【請求項２】
固定部材は、前記突部に嵌入して、前記突部又は前記容器本体の先端部に設けられた当接面に当接する面を有し、前記突部に着脱可能に、かつ前記当接面に当接して固定される請求項１に記載の吸液パッド。
【請求項３】
固定部材の開口に対応する、吸液部材の位置に開口が設けられ、両方の開口が連続して吸液パットの貫通孔を形成する請求項１又は２に記載の吸液パッド。
【請求項４】
吸液部材が連続気孔を有するウレタンフォームからなる請求項１〜３のいずれかに記載の吸液パッド。
【請求項５】
固定部材が独立気泡構造の発泡ポリエチレンからなる請求項１〜４のいずれかに記載の吸液パッド。
【発明の詳細な説明】
【技術分野】
【０００１】
本発明は、ハンディタイプの液体を表面に適用するための器具に用いる吸液パッドに関するものであり、特には液体で表面を洗浄したり、液体を表面に塗布したりするための器具に用いる吸液パッドに関するものある。
【背景技術】
【０００２】
従来より、液体が収容されたハンディタイプの容器を持ち運び、様々な用途に使用している。
例えば、洗浄液が収容された容器を持ち運び、水道等の無い場所にて、手軽に汚れを洗浄する用途の液体収容器具が、具体的には介護用の臀部洗浄器具などが知られていた。
この場合、より簡便的な単に液体を吹き付けるタイプのものとして、ノズル先端から噴出された水の水圧で汚れを流すハンディタイプの臀部の液体収容器具が多数提案されている（例えば、特許文献１参照）。このようなハンディタイプの臀部の液体収容器具は、もっぱら外出先において手軽に臀部を洗浄できること目的とし、噴出する水流で肌についた汚れを流し落とすものである。
【０００３】
噴出する水流で肌についた汚れを落とす場合、水様便等の粘性の低いものに対しては洗
浄効果を発揮するが、軟便や固形便で皮膚表面にこびりついたような固体物質を除去する
ことは、水圧の力だけでは非常に困難である。また、よりきれいに汚れを落とすためには
水圧をより高くすることが必要になり、そうすると、液体が肌表面からはね返り、周辺部
位の衣服や肌表面を汚してしまう。
【０００４】
また、臀部の洗浄は、病人、介護老人や乳幼児にも必要であり、介護や保育にたずさわる人に多大な煩わしさを課している。持に老人の介護用や乳幼児のおむつ交換時のおしりに付着した尿や便を洗浄する際に、手を汚すことなく確実に汚れを落とすことは至難である。さらに、乳幼児はおむつ交換の際に、じっとしていることまれであり、常に動きまわるので、素早く迅速に臀部を洗浄することが要求される。
【０００５】
従って、液体のみによる洗浄ではなく、洗浄対象個所に、液体を吹き付けた後、布やスポンジ等で拭って、あるいは予め液体を吸収させた布やスポンジ等で拭って汚れを落とすことが一般的であった。この場合、一方の手で液体収容器具を、他方の手で布等を取り扱わなければならず、使い勝手が良くなかった。
【０００６】
ちなみに、この液体を拭い去る手段として、肌についた頑固な汚れは、ウェットワイプス等で拭い取るのが一般的であるが、ウェットワイプスの場合、力を入れすぎたり、長時間こすりすぎたりすると、肌を赤くしたりして傷めることがある。また、強くこすると吸収されている水分が絞り出されてなくなってしまい、さらに力を入れ、肌を傷めるといった悪循環におちいることがある。
【０００７】
このように、液体収容器具と、当該液体を塗布、拭い去る手段とを簡便に取り扱うことのできる製品が、様々な用途にて待望されていた。
【０００８】
このような状況下、ハンディタイプの臀部洗浄器具に特化したものとして、液体の入った容器と、汚れを拭うスポンジを一体化したものが提案されてきている。例えば、基端部と、該基端部から延出されており、少なくとも一部が屈曲可能であり、内部に液が流通され、先端から該液が吐出されるチューブ部材と、該チューブ部材に液を供給する給液手段とを備えてなる褥瘡洗浄清掃器具が提案されている（特許文献２参照）。この基端部及び給液手段は、注水液保持容器で構成され、チューブ部材の先端に、人体に接触する洗浄清掃用のスポンジが装着されることもできるものである。
【０００９】
しかしながら、延出された部分の一部が屈曲可能となっており、その先端部にスポンジと筒状の鞘体が一体になった清掃体をチューブ部材先端の吐水部に鞘体を外嵌することにより装着させ、洗浄するという構造になっていることから、
１．一部が屈曲可能で、ある程度の長さを有するチューブ部材であるため、洗浄清掃の際に、先端に設けられたスポンジに大きな力を加えることができない。すなわち、褥瘡のような傷口の洗浄清掃にはやさしいタッチでなければならないかも知れないが、頑固の汚れを洗浄することは難しい。
２．鞘体とスポンジが一体となっている為に、汚れた先端部のみを交換するときに汚染部に触れないで交換することが煩わしく、困難である。
【００１０】
ちなみに、この特許文献２に係る液体収容器具を、他の用途に使用した場合であっても、上述した欠点は解消しないものであった。
【特許文献１】登録実用新案第3050494号公報
【特許文献２】特開2003-334231号公報
【発明の開示】
【発明が解決しようとする課題】
【００１１】
本発明は、片手で操作することができるハンディタイプの液体を表面に適用するための器具、例えばハンディタイプの洗浄器具、塗布器具などに用いる吸液パッドを提供することを課題とし、特には、着脱が容易で、作業を行う際には液体収容容器の先端にしっかりと固定され、使用後は手を触れずに衛生的に脱着処分できる吸液パッドを提供することを課題とする。
【課題を解決するための手段】
【００１２】
本発明は、このような従来の問題点に着目してなされ、上記課題を解決したものである。
【００１３】
すなわち、本発明は、
（１）液体を収容する少なくとも一部が押圧変形可能な容器本体と、液体を噴出するノズルと、前記容器本体の先端部に突出して配置された突部とを有するハンディタイプの人体洗浄用器具に用いる吸液パッドであって、前記突部に着脱可能に固定される吸液パッドにおいて、
該吸液パッドは、液体を吸収保持する吸液部材と、吸液パッドを液体収容容器の先端部に固定する固定部材とからなり、該固定部材は前記突部に嵌入して固定するための開口を有し、
かつ、吸液部材表面の形状が、楕円形、ひし形、又は変形三角形であり、
吸液部材の表面側に、前記形状の長手方向に対して角度を有し、且つ、使用時に倒れて前記固定部材の開口を覆う長さを有し、さらに、突き出る個々のひだの厚さを、隣り合うひだとひだの間隔と同じとし、ひだの高さの半分以下とするひだを設けたことを特徴とする吸液パッドである。
【００１４】
（２）本発明の吸液パッドは、固定部材が、前記突部に嵌入して、前記突部又は前記容器本体の先端部に設けられた当接面に当接する面を有し、前記突部に着脱可能に、かつ前記当接面に当接して固定されることが好ましい。
【００１５】
（３）さらに、本発明の吸液パッドは、固定部材の開口に対応する、吸液部材の位置に開口が設けられ、両方の開口が連続して吸液パットの貫通孔を形成することが好ましい。
【００１６】
（４）本発明の吸液パッドは、吸液部材が連続気孔を有するウレタンフォームからなることが好ましく、また、
（５）固定部材が独立気泡構造の発泡ポリエチレンからなることが好ましい。
【発明の効果】
【００１９】
本発明の上記（１）の吸液パッドは、液体の供給と汚れの清掃が片手の操作で十分行うことができるハンディタイプの液体を表面に適用するための器具（以下、単に「液体適用器具」ということがある。）の容器本体の先端部に突出して配置された突部に着脱可能に固定して使用されるものであるから、例えば、液体を表面に適用するための器具を洗浄器具として使用した場合、身の回りの家具、ＯＡ器機、自動車内などの汚れを簡便に洗浄することを支援する。乳児のおしめ交換、病人や老人の介護等においても好適に使用でき、片手で操作して肌に付着した汚れを吸液パッドにより確実に素早く落とすことができる。
【００２０】
この場合、使用者のアイデアにより、液体適用器具を様々な用途に使用することができるのは勿論である。例えば、液体としてペンキ、染み抜き剤などを採用することもでき、この場合においても、吸液パッドにより液体の塗布作業等を片手にて行うことが可能となる。
【００２１】
（２）本発明の吸液パッドは、その固定部材の開口を容器本体先端部の突部に嵌入して固定されるので、簡単な操作で吸液パッドを液体収容容器に装着、脱着することができる。
（３）さらに、固定部材は、前記突部又は前記容器本体の先端部の当接面に当接する面を有しているので、突部に嵌入したとき、容器先端部の突部との嵌入、固定に加えて当接面とで固定することによってより強固に固定することができ、特に使用中に吸液パッドがぐらつくのが防止される。
【００２２】
（４）固定部材の開口は突部に嵌入して固定するものであるが、吸液部材にも開口を設けることにより、液体を直接汚れに噴出することができる。
【００２３】
（５）吸液部材の汚れに当てる面の形状を、楕円形、ひし形、又は変形三角形としたことから、吸液部材を対象物に当てて長手方向に動かすと、狭い範囲に集中して力を加えることができる。即ち、例えば洗浄器具用の吸液パッドとして使用した場合は、頑固な汚れも落としやすくなる。また、狭い箇所の汚れを洗浄するのに好適に使用できる。
（６）前記形状の長手方向に対して角度を有するひだを設けることから、多数のひだで汚れを次々と擦ることができる。
（７）使用時に倒れて固定部材の開口を覆う長さのひだとすることにより、固定部材の開口に汚れが入ることが防止され、特に、ノズルがある場合にはその汚損、噴出口の詰まりなどを回避できる。
【００２４】
（８）吸液部材をウレタンフォームでつくると、柔軟で、保水力もあり、特に肌触りの感触がよいから、オムツの交換や介護時における肌の洗浄に有用である。
（９）また、固定部材を独立気泡構造の発泡ポリエチレンでつくると、適度の弾性を有し、復元する変形量も大きい物を使用することにより、前記突部に嵌入して固定でき、また、ウレタンフォームの吸液部材を支える台としても好適であり、洗浄時にぐにゃぐにゃ曲がったりしない。
また、ウレタンフォームも、発泡ポリエチレンも汎用的な合成樹脂であるので、成形、接着などの加工が容易であり、大量生産に適した安価な素材であるから使い捨ての吸液パッドの材料として極めて都合よく用いることができる。
【発明を実施するための最良の形態】
【００２５】
以下、本発明について、実施の形態を図面等に基づいて説明する。
なお、説明の便宜上、本発明に係る吸液パッドが装着される液体を表面に適用するため
の器具を、臀部の洗浄器具として使用した場合を中心に説明するが、該液体適用器具の用
途がそれに限られないのは勿論である。
【００２６】
図１は、本発明の吸液パッドを装着したハンディタイプの液体適用器具１全体の概観を示す。また、図２（ａ）は、図１のハンディタイプの液体適用器具１の通常の使用時に取り外すことのできる部材（吸液パッド１０及びキャップ９）を外した状態を示し、図２（ｂ）は、キャップ９を嵌めた液体収容容器２について、図２（ａ）の図面で左側から見た正面図を示す。図２（ａ）、（ｂ）では、図１に示すパッド脱着つまみ１４及び噴出切替レバー１５は省略されている。
【００２７】
液体収容容器２の容器本体３は、少なくとも一部が押圧変形可能な材料で握りやすい形状に作られ、内部に液体を収容する。容器先端部４には、図１では隠れて見えないが、液体を噴出するノズル１６と、容器先端部４に突出して配置された少なくとも一つの突部１７とが設けられている（図２（ａ）参照）。そして、前記ノズル１６から噴出される液体を吸収保持する本発明の吸液パッド１０が、前記突部１７に着脱可能に固定されている。
【００２８】
以下、吸液パッド１０について、詳細に説明する。図１の場合、吸液パッド１０は、吸液部材１１と固定部材１２とから構成されている。したがって、容器本体３の容器把持部６を手で握り、加圧して容器内の液体をノズル１６から噴出させることができ、ノズル１６から供給される液体によって、吸液パッド１０の波状（ひだ状）に加工された柔軟な吸液部材１１は湿らされる。液体を含んだ吸液部材１１を洗浄対象に当てて前後左右に拭うことにより汚れは取り除かれる。また、洗浄中に、容器本体３をさらに押圧して液体を送り出し、汚れを洗い流しながら洗浄することもできる。
【００２９】
液体を吸収して汚れを拭って洗浄するための吸液部材１１と、該吸液部材１１を液体収容容器に固定するための固定部材１２とからなる吸液パッド１０は、一体的に形成され、使用後は廃棄する使い捨てタイプとして使用されるものが衛生的で好ましい。
【００３０】
吸液部材１１は、液体を吸収保持して洗浄対象に当てて汚れを拭って落とす部材である。また、固定部材１２は、吸液パッド１０を容器本体３の先端部４に着脱自在に固定する部材であり、特に洗浄中、吸液パッド１０が洗浄作業に支障をきたさないように、容器本体３の先端部４にしっかりと固定する役割をする。
【００３１】
吸液パッド１０を容器本体３の先端部４に着脱自在に固定するために、固定部材１２には、容器本体３の先端部４に突出して配置された突部１７に嵌入する開口２３を設けることが好ましい。さらには、固定部材１２には、前記容器先端部４に設けられた当接面に当接する面を設けることが好ましい。
図３（ａ）は、吸液パッド１０を容器本体３の先端部４に装着した状態の概念図を示し、吸液パッド１０の固定部材１２の開口２３は容器先端部４から突き出した突部１７に嵌入して、吸液パッド１０を容器先端部４に固定している。さらに、容器先端部４の当接面２１と固定部材１２の外表面２４の一部が互いに平面で当接しており、固定をより強固にし、特に吸液パッド１０を汚れに押し付けて動かすとき、この面の当接と突部１７おける嵌合とによって効果的に固定され、吸液パッド１０のぐらつきが防止される。また、吸液パッド１０の固定部材１２の開口２３と接する突部１７の外表面上に突起１８が設けられ、吸液パッド１０の固定部材１２を嵌入したときその開口２３の内壁面に前記突起１８が食い込むようにすると、吸液パッド１０は容器先端部４によりしっかりと固定される（図３（ａ）参照）。図３（ｂ）は、吸液パッド１０を先端部４の突部１７から離した状態を示す。
吸液パッド１０を容器本体３の先端部４に固定する場合、固定部材１２の開口２３を突部１７に嵌め込んで固定部材１２の素材の弾性を利用して固定する。したがって、固定部材１２の開口２３は、弾性を見込んで、突部１７の断面外形よりも小さ目に加工しておくことが、しっかりと固定する上で好ましい。
【００３２】
また、図３（ａ）のように、容器先端部４の当接面２１と固定部材１２とが平面で当接すると、それによる固定効果は非常に大きくなるので、強固に吸液パッド１０を容器本体３の先端部４に固定することができる。しかし、吸液パッド１０（吸液部材１１）を洗浄対象に当てて前後左右に拭うことができれば、必ずしも固定部材１２を当接面２１に当接する必要はなく、図４に示すように、固定部材１２を、容器本体３の先端部４から離れた状態で、突部１７に固定部材１２の開口２３を嵌入しただけで固定させてもよい。また、吸液パッド１０は、図５に示すように、突部１７自体に平面の当接面２１を設けて固定部材１２を突部１７に嵌入し、突部１７の当接面２１に当接させて固定してもよく、所望の固定効果を得ることができる。
【００３３】
突部１７の断面形状、サイズ、数及び配置は、吸液パッド１０が突部１７に適切に固定されるならば、特に限定するものではなく、それぞれ適宜選定することができる。すなわち、断面形状は、円に限らず、楕円や、任意の多角形でも、あるいはこれらが組み合わされた形状であってもよい。複数の突部１７を設ける場合は、断面形状は異なる形状のものを使用しても、同一形状のものを使用してもよい。加工しやすい形状が望ましく、突部１７としては、特に円柱状、円筒状が好ましい。
本発明の吸液パッド１０には、固定部材１２に、突部１７の断面形状、サイズ、数及び配置に対応した形状、サイズ、数及び配置の開口２３が素材の弾性を考慮して設けられる。したがって、固定部材１２の開口２３を突部１７に嵌め込むことができ、こうして吸液パッド１０を、容器本体３の先端部４に固定することができる。
【００３４】
図６は、固定部材１２の開口２３の形状の例を固定部材１２の外表面２４側から見た図である。上述のように、開口２３の形状は突部１７に対応するものであるが、突部１７に固定部材１２が嵌入してしっかり固定されればよいから、どのような形状であってもよい。すなわち、具体的には円形、楕円形（図６（ａ））、多角形（図６（ｂ））、その他これらが組み合わさった任意の形状（図６（ｃ））が挙げられる。開口２３は、通常、対応する突部１７の断面と同じ形状にするが、必ずしもそうする必要はなく、円形断面の突部１７に六角形の開口２３の固定部材１２を組み合わせてもよいし、逆に、六角形断面の突部１７に円形の開口２３の固定部材１２を組み合わせることもでき、その組合せは自由であり、より強固に固定されるものを適宜選択することが好ましい。固定部材１２の開口２３を、前記のひし形、楕円形や変形三角形などの形状の重心の位置に設けることにより、洗浄時に、吸液パッド１０の吸液部材１１をバランスよく汚れに押し付けて洗浄することができる。
また、突部１７が複数あれば、当然その数に応じて固定部材１２に開口２３を設ける必要がある。例えば突部１７が２個で開口２３が２個の場合、図６（ｄ）に示すように、固定部材１２の開口２３を、重心を構成ように長手方向に沿って並べて設けてもよいし、図６（ｅ）のように長手方向に直角に並べて設けてもよい。吸液パッド１０は、普通長手方向に動かすことになるから、２個の開口２３は長手方向に沿って設けることが好ましい。
【００３５】
吸液パッド１０の吸液部材１１にも、固定部材１２の開口２３と同じ位置に開口２２を設けることもできる。開口２３が突部１７のみに対応するものである場合、吸液部材１１にまで開口２２を設ける必要性は特にはないが、固定部材１２と吸液部材１１の両方の同じ位置に同じサイズの開口２２、２３を設けることは、吸液パッド１０に貫通孔３６を一度で穿てばよいので加工しやすい利点がある。また、筒状の突部１７の内側にノズル１６が同軸的に内挿されている場合やノズル１６のみが設けられている場合、それらの位置には貫通孔３６を設けることが好ましく、ノズル１６から液体を吸液部材１１に供給するばかりでなく、直進噴出させれば、貫通孔３６を素通りさせて直接汚れに向けて液体を当てることができる。なお、ノズル１６は、突部１７の役割を兼ねることもでき、また、上記の複数の突部１７の一つをノズル１６が代行することもできる。上記の突部１７の場合と同様にして、ノズル１６に対応する開口２３を設け、それに嵌入して吸液パッド１０を固定すればよい。
【００３６】
吸液パッド１０は、液体を吸収収容する吸液部材１１を洗浄対象に当てて前後左右にこすって汚れを落とすことができるものであれば、どのような形状であってもよい。吸液部材１１と固定部材１２とを一体的に成形すること、容器先端部４の突部１７に嵌入して、さらには当接面に当接して使用すること、洗浄中に吸液部材１１がしっかりと汚れに押しつけられ、突部１７から外れないこと、洗浄後容易に突部１７から脱着できることなどを考慮すると、平板状が好ましく。洗浄対象に当たる面の形状は、円形、長方形などどのような形のものでも使用できるが、ひし形、楕円形などのような細長い形が好ましい。例えば、図７に斜視図で示すひし形（ａ）、楕円形（ｂ）及び変形三角形（ｃ）のような形状が好ましい。なお、ここで変形三角形は、正三角形の高さを２、３倍程度に伸ばしたような長い形の三角形をいう。また、ひし形及び三角形の角はアール加工して丸みを付けておくことが好ましい。このように、細長い形にすると、吸液部材１１を汚れに当てて長手方向に動かすと、狭い範囲に集中して力を加えることができ、頑固な汚れも落としやすくなる。当然、狭い箇所の汚れを洗浄するのに好適に使用できる。また、前記の細長い形状で狭い方の長さ（幅）は、上記当接面をできるだけ覆う長さ、できれば完全に覆う長さにすることが、面による効果を最大に享受する上で好ましい。
【００３７】
吸液パッド１０の吸液部材１１の表面側には、前記形状の長手方向に対して角度を有するひだ３７を突出させて設けることが好ましい。ひだ３７が形成される方向は、長手方向に直角が最も好ましいが、完全に直角でなくとも、長手方向に対し角度を有する方向（長手方向と平行ではない方向）に設けられていれば、所望の効果を得ることが可能となる。
突出するひだ３７の高さは、洗浄に際して、汚れに当たってひだ３７が倒れたとき、固定部材１２の開口２３を覆って塞ぐ長さにすることが好ましい。突き出る個々のひだ３７の厚さは、隣り合うひだ３７とひだ３７の間隔と同じとし、前記ひだ３７の高さの半分以下とすることが好ましい。上記の寸法でひだ３７を設ければ、吸液パッド１０を汚れに当てて長手方向に擦ると、ひだ３７が倒れて固定部材１２の開口２３が塞がれ、吸液パッド１０を移動するたびに汚れに複数のひだ３７が次々と当たり汚れを拭い去ることができる。
【００３８】
吸液パッド１０の吸液部材１１は、液体を吸収保持して表面を洗浄したり、液体を表面に塗布したりすることができるものであれば、材質、形状などは特に限定されるものではなく、布、不織布、紙、スポンジ、毛（刷毛に用いる）などの材料を使用することができる。また、固定部材１２と、うまく一体的化できて、吸液パッド１０を形成するものが好ましい。特に、吸液パッド１０は、洗浄面側が凸凹加工され畝状にひだ３７を突出させたスポンジ状のウレタンフォームからなる吸液部材１１と、適度の弾性と硬さを有する独立気泡構造の発泡ポリエチレンからなる固定部材１２を接着剤で貼り合わせた構造を有しているものが好ましく用いられる。ウレタンフォームは、柔軟であり、肌触りの感触がよく、保水力もあり、吸液部材１１として特に好ましく使用することできる。吸液部材１１は、親水性の材料で作ることが好ましい。親水性でない場合には、親水性の物質や化合物を公知の方法でコーティングや表面処理して予め親水性を付与しておくとよい。
また、独立気泡構造の発泡ポリエチレンは適度の弾性を有し、復元する変形量も大きいので、容器先端部４の突部１７に嵌入して固定するために、固定部材１２に好ましく使用することができる。固定部材１２は親水性を必要とせず、逆に撥水性のほうが好ましい場合もある。また、ウレタンフォームも、発泡ポリエチレンも汎用的な合成樹脂であるので、成形、接着などの加工が容易であり、大量生産に適した安価な素材であるから使い捨ての吸液パッド１０に極めて好適に用いることができる。
【００３９】
吸液パッド１０は、使用後、ハンディタイプの液体収容容器から容易に、かつ衛生的に脱着することができる。その脱着機構の一例を図８に示す。当接面２１を有する押出し板２９の裏側（液体収容容器側）には突部１７と平行に３本の押出し棒３０が固定され、３本の押出し棒３０のもう一方の端部は押出しリング３１に固定されており、押出し板２９、３本の押出し棒３０及び押出しリング３１は一体的な構造になっている。ケーシング部材３３は、押出し板２９と平行な板状の、ケーシングに固定されている部材であって、突部１７がそこを基点として外側に突出して設けられている。ケーシング部材３３には、３本の押出し棒３０が貫通してスライドする孔が設けられている。したがって、３本の押出し棒３０と結合する押出し板２９と押出しリング３１は、ケーシングに固定されているケーシング部材３３を挟んで押出し板２９と押出しリング３１との間隔を移動することができる。また、押出しリング３１の外周上部にリングの中心から突出する形で押出しノブ３２が設けられており、押出しノブ３２は容器先端部４近傍の吸液パッド脱着つまみ１４と接続している。
【００４０】
したがって、洗浄終了後、吸液パッド脱着つまみ１４を液体収容容器２の先端方向にスライドさせると、該つまみ１４と接続した押出しノブ３２、押出しリング３１、押出し棒３０及び押出し板２９が容器先端方向にスライドする。固定部材１２の開口２３と突部１７に嵌合して固定部材１２の弾性で固定されていた吸液パッド１０は押出し板２９の当接面２１で押されて、吸液パッド１０の固定部材１２部は収縮し、さらに押されてその力が弾性によって嵌入、固定する力を上回り、吸液パッド１０は突部１７から外れる。
洗浄後、吸液パッド１０を脱着する状態を図９に示す。図９（ａ）は洗浄直後、吸液パッド１０を外すために、人差し指を吸液パッド脱着つまみ１４に付けた状態を示し、図９（ａ′）はそのときの容器先端部４の突部１７と押出し板の状態を、吸液パッド１０を除いて、示す。図９（ｂ）は吸液パッド脱着つまみ１４を少し移動させた状態を示す。また、図９（ｃ）は吸液パッド脱着つまみ１４を押し切り、吸液パッド１０が外れた状態を示す。図９（ｃ′）はそのときの容器先端部４の状態を示し、押出し板２９が突部１７の先端にまできている様子が分かる。
【００４１】
なお、当接面２１を有する押出し板２９は、必ずしも当接面２１全部と一体的に作られている必要はない。押出し板２９としては、洗浄後の吸液パッド１０を突部１７から外すことができればよい。したがって、例えば、図１０（ａ）に示すように、押出し板２９−１及び２９−２は、突部１７の上下にそれぞれ、図８の押出し棒３０の先端に固定するように設けることもできる。また、４枚の押出し板２９−１〜２９−４を、図１０（ｂ）に示すように、突部１７の上下左右に設けることもできる。
【００４２】
本発明の吸液パッド１０を装着した液体適用器具の使用方法を、主に図１〜図３に基づいて説明する。まずキャップ９を容器本体３から外して、液体（例えば、水、お湯、アルコールや酢酸などを含む消毒液、界面活性剤などを含む清浄用液体等）を充填し、キャップ９を閉める。
【００４３】
それから、吸液パッド１０の固定部材１２の開口２３（図３（ｂ）参照）を突部１７に、固定部材１２の外表面２４が押出し板２９にピッタリ当接するまで嵌め込む。容器本体３の容器把持部６を掴んで、容器本体３に圧力を加えると、容器内の液体は押し出されてノズル１６から噴出される。このとき、噴出切替レバー１５を操作することによって、液体をストレートに噴出して洗浄対象の汚れに直接液体を吹き付けたり、あるいはシャワー状に噴出させて広範に吹き付けたり、又は吸液パッド１０の吸液部材１１にその開口２２の内壁面を経由して液体を供給することができる。
【００４４】
次いで、吸液パッド１０の吸液部材１１を洗浄対象の汚れに当てて、こすることによって汚れを拭い去る。吸液部材１１の洗浄側がひだ状に凹凸加工されていると、液体適用器具を動かして汚れをこする場合、吸液部材１１のひだ３７が次々に汚れをこすることになる。また、ひだ３７が固定部材１２の開口２３を塞ぎ、ノズル１６の汚染やノズル１６先端の噴出口の閉塞を防止することができる。さらに、汚れがひどい場合には、洗浄中に、容器本体３を圧迫して液体を連続的に放出し、洗い流すように洗浄することもできる。
【００４５】
洗浄が終了したら、容器本体３の先端付近に配置されている吸液パッド脱着つまみ１４を吸液パッド１０の方向にスライドすると、吸液パッド脱着つまみ１４は押出し板２９とつながっているから、押出し板２９は突部１７の先端、すなわちノズル１６の先端付近にまで押し出される。この移動によって、押出し板２９に当接する吸液パッド１０は、突部１７から外れる。適当なごみ容器の上で前記の吸液パッド１０の脱着操作を行えば、汚損された吸液パッド１０は、その自重でゴミ容器に落下する。このとき、汚損された吸液パッド１０に全く手を触れないで、また周辺を汚すことなく汚損された吸液パッド１０を衛生的に廃棄することができる。
【００４６】
以上のように、本発明の吸液パッド１０は、上記のハンディタイプの液体適用器具１に好適に用いることができるものであり、片手で容器本体３を掴んで洗浄水を含んだ吸液パッド１０で汚れをこすって、簡単に汚れを拭い去ることができる。特に吸液パッド１０の嵌入時以外は全く手を触れずに、洗浄から廃棄までの作業を行うことができるから、病院、家庭やオフィス等のあらゆる汚れを手軽に処理することができる。また、肌に優しい吸液部材１１の吸液パッド１０を用いれば、肌に付着した頑固な汚れを、肌を傷めることなく落とすことができるから、病人や老人の介護や乳幼児のおむつを交換する際等に、好適に使用することができる。
【図面の簡単な説明】
【００４７】
【図１】本発明の液体適用器具の一実施態様を、液体適用器具全体の概観を示す図である。
【図２】図２（ａ）は、図１の液体適用器具を取り外し可能な部材（吸液パッド１０、キャップ９）を離して示す側面図であり、図２（ｂ）は、図２（ａ）の左側から見た液体収容容器２（吸液パッド１０を外した状態）の正面図である。
【図３】吸液パッド１０と突部１７との結合、吸液パッド１０と押出し板２９との当接の状態を示す図である。図３（ａ）は、結合された状態を示し、図３（ｂ）は、離れた状態を示す。
【図４】図４は、固定部材１２を、当接面２１に当てずに、突部１７に嵌入し、そこだけで固定する状態の一例を示す。
【図５】図５は、突部１７自体に平面の当接面２１を設けて固定部材１２を嵌入し、固定した状態の一例を示す。
【図６】図６は、図６（ａ）〜（ｃ）に固定部材１２の開口２３の形状の例を示し、図６（ｄ）〜（ｅ）に複数の開口２３の配置の例を示す。
【図７】図７は、種々の形状の吸液パッド１０を斜視図で示し、図７（ａ）、（ｂ）及び（ｃ）にそれぞれひし形、楕円形及び変形三角形の吸液パッド１０を示す。
【図８】図８は、脱着の機構の一例を示すものであり、構成部材を分解図で示す。
【図９】図９は、吸液パッド１０の脱着操作の実例を示す図であり、図９（ａ）は洗浄直後人差し指を吸液パッド脱着つまみ１４に付けた状態を示し、図９（ａ′）はそのときの吸液パッドを除いた容器先端部４の突部１７と押出し板２９の状態を示す。図９（ｂ）は吸液パッド脱着つまみ１４を少し移動させた状態を示す。また、図９（ｃ）は吸液パッド脱着つまみ１４を押し切り、吸液パッドが外れた状態を示し、図９（ｃ′）はそのときの容器先端部４の状態を示す。
【図１０】図１０は、押出し板２９の変更例を示し、図１０（ａ）は、突部１７の上下に２枚の押出し板を、図１０（ｂ）は、突部１７の上下左右に４枚の押出し板を設けた例を示す。
【符号の説明】
【００４８】
１    液体適用器具
２    液体収容容器
３    容器本体
４    容器先端部（又は、容器本体３の先端部）
６    容器把持部
９    キャップ
１０  吸液パッド
１１  吸液部材
１２  固定部材
１４  吸液パッド脱着つまみ
１５  噴出切替レバー
１６  ノズル
１７  突部
２１  当接面
２２  吸液部材の開口
２３  固定部材の開口
３６  貫通孔
３７  ひだ
【図１】
0004743821.tif 000002
【図２】
0004743821.tif 000003
【図３】
0004743821.tif 000004
【図４】
0004743821.tif 000005
【図５】
0004743821.tif 000006
【図６】
0004743821.tif 000007
【図７】
0004743821.tif 000008
【図８】
0004743821.tif 000009
【図９】
0004743821.tif 000010
【図１０】
0004743821.tif 000011